(57)【要約】【課題】駐車場の情報提供を正確かつ迅速に行う。【解決手段】コンテンツ情報を配信するセンター装置と、車載器と、を含む配信システムにおいて、前記センター装置は、配信する駐車場に関する情報がある場合、当該駐車場に関する情報を含むコンテンツ情報を前記車載器に送信する（ステップＳ９）。【選択図】図７
2009174864.tif 000002
【特許請求の範囲】
【請求項１】
コンテンツ情報を配信するセンター装置と、車載器と、を含む配信システムにおいて、
前記センター装置は、
配信する駐車場に関する情報がある場合、当該駐車場に関する情報を含むコンテンツ情報を前記車載器に送信する配信システム。
【請求項２】
前記駐車場に関する情報は、サービスを提供する対象地点において提携指定されている提携駐車場の情報であり、
前記車載器は、
前記センター装置から受信したコンテンツ情報に、前記提携駐車場の情報が含まれる場合、当該提携駐車場の情報に基づいて、提携駐車場の一覧を示す駐車場リストを作成し、表示する請求項１に記載の配信システム。
【請求項３】
前記車載器は、
前記駐車場リストに示された提携駐車場のうち、何れかの提携駐車場を目的地として選択する入力がなされると、当該入力に応じて選択された提携駐車場を目的地とする案内経路を算出して表示する請求項２に記載の配信システム。
【請求項４】
前記駐車場に関する情報は、センター装置において予め登録されている駐車場の情報であり、
前記車載器は、
前記センター装置から受信したコンテンツ情報に、前記センター装置において予め登録されている駐車場の情報が含まれる場合、当該駐車場の情報に基づいて目的地周辺の駐車場を検索し、検索された駐車場の一覧を示す駐車場リストを作成し、表示する請求項１に記載の配信システム。
【請求項５】
前記センター装置は、
予め登録されている駐車場についての満空情報を、前記配信するコンテンツ情報に含めて前記車載器に送信する請求項１〜４の何れか一項に記載の配信システム。
【請求項６】
前記車載器は、
前記センター装置から受信したコンテンツ情報に、前記満空情報が含まれている場合、当該満空情報に基づき、各駐車場について満空情報を示す前記駐車場リストを作成し、表示する請求項５に記載の配信システム。
【請求項７】
前記車載器は、
車載器が搭載されている車両に関する車両情報及び予め車載器において登録されている駐車場の車両制限の情報を記憶し、前記記憶している車両情報及び車両制限の情報に基づいて前記駐車場リストに示す駐車場を選択する請求項２〜６の何れか一項に記載の配信システム。
【請求項８】
前記センター装置は、
予め登録されている駐車場の車両制限の情報を含むコンテンツ情報を前記車載器に送信し、
前記車載器は、
車載器が搭載されている車両に関する車両情報を記憶し、前記センター装置から受信したコンテンツ情報に、駐車場の車両制限の情報が含まれている場合、当該車両制限の情報及び前記記憶している車両情報に基づいて前記駐車場リストに示す駐車場を選択する請求項２〜６の何れか一項に記載の配信システム。
【請求項９】
前記車載器は、
ＤＳＲＣ通信により、前記センター装置からコンテンツ情報を受信し、
ＩＰ通信により、前記センター装置において予め登録されている駐車場の満空情報を、前記センター装置から取得する請求項５〜８の何れか一項に記載の配信システム。
【請求項１０】
表示手段と、
路側無線装置を介して、コンテンツ情報を配信するセンター装置とＤＳＲＣ通信を行うＤＳＲＣ通信手段と、
前記センター装置から受信したコンテンツ情報に、サービスを提供する対象地点において提携指定されている提携駐車場の情報が含まれる場合、当該提携駐車場の情報に基づいて、提携駐車場の一覧を示す駐車場リストを作成し、前記表示手段に表示する制御手段と、
を備える車載器。
【請求項１１】
入力手段を備え、
前記制御手段は、前記駐車場リストに示された提携駐車場のうち、何れかの提携駐車場を目的地として選択する入力がなされると、当該入力に応じて選択された提携駐車場を目的地とする案内経路を算出して表示する請求項１０に記載の配信システム。
【請求項１２】
表示手段と、
路側無線装置を介して、コンテンツ情報を配信するセンター装置とＤＳＲＣ通信を行うＤＳＲＣ通信手段と、
前記センター装置から受信したコンテンツ情報に、前記センター装置において予め登録されている駐車場の情報が含まれる場合、当該駐車場の情報に基づいて目的地周辺の駐車場を検索し、検索された駐車場の一覧を示す駐車場リストを作成し、前記表示手段に表示する制御手段と、
を備える車載器。
【請求項１３】
前記制御手段は、前記センター装置から受信したコンテンツ情報に、センター装置において予め登録されている駐車場についての満空情報が含まれている場合、当該満空情報に基づき、各駐車場について満空情報を示す駐車場リストを作成し、表示する請求項１０〜１２の何れか一項に記載の車載器。
【請求項１４】
車載器が搭載されている車両に関する車両情報及び予め車載器において登録されている駐車場の車両制限の情報を記憶する記憶手段を備え、
前記制御手段は、前記記憶されている車両情報及び車両制限の情報に基づいて、前記駐車場リストに示す駐車場を選択する請求項１０〜１３の何れか一項に記載の車載器。
【請求項１５】
車載器が搭載されている車両に関する車両情報を記憶する記憶手段を備え、
前記制御手段は、前記センター装置から受信したコンテンツ情報に、駐車場の車両制限の情報が含まれている場合、当該車両制限の情報及び前記記憶している車両情報に基づいて前記駐車場リストに示す駐車場を選択する請求項１０〜１３の何れか一項に記載の配信システム。
【請求項１６】
前記センター装置とＩＰ通信を行うＩＰ通信手段を備え、
前記制御手段は、前記センター装置において予め登録されている駐車場の満空情報を、前記ＩＰ通信手段を介して前記センター装置から取得する請求項１０〜１５の何れか一項に記載の車載器。
【発明の詳細な説明】
【技術分野】
【０００１】
本発明は、配信システム及び車載器に関する。
【背景技術】
【０００２】
従来、ナビゲーション装置のような車載器では、ＤＳＲＣ（Dedicated Short Range Communication）等を利用して路上に設置された路側無線装置と狭域無線通信を行い、当該路側無線装置を介してセンター装置から情報提供を受けることが可能となっている。すなわち、車両が路側無線装置の通信範囲内にある間のみ、車両の車載器と路側無線装置との双方向通信が可能となり、この間にセンター装置が路側無線装置を介して、広告等の各種コンテンツ情報を配信するのである。
【０００３】
コンテンツ情報の配信により、サービスを提供する周辺の店舗の広告や医療機関の案内等、周辺地域に根付いた情報提供も可能である（例えば、特許文献１参照）。ユーザは案内のあった周辺地域の店舗や医療機関を目的地として出かける場合には、ナビゲーション装置において目的地の設定を行い、誘導経路を表示させることが可能である。また、施設情報に関連付けた駐車場の情報を含む地図情報から、目的地周辺に存在する駐車場を検索することもでき（例えば、特許文献２参照）、便利である。
【特許文献１】特開２００７−１０９０３２号公報
【特許文献２】特開２００２−３２３３３２号公報
【発明の開示】
【発明が解決しようとする課題】
【０００４】
しかしながら、上記特許文献１、２に記載の技術ではコンテンツ情報を視聴したユーザが行きたい店舗の住所等を入力して目的地として設定しなければならず、煩雑である。また、特許文献２によれば、目的地である施設と提携している提携駐車場を検索することができるが、検索は予めメモリやＤＶＤ等において保持しているデータベースを用いて行うことから、データベースが更新されずに古いままである場合、検索した駐車場が現在も施設と提携しているかどうか分からず、料金や特典の変更には対応できない等、リアルタイムの情報が得られない。
【０００５】
本発明の課題は、駐車場の情報提供を正確かつ迅速に行うことである。
【課題を解決するための手段】
【０００６】
請求項１に記載の発明によれば、
コンテンツ情報を配信するセンター装置と、車載器と、を含む配信システムにおいて、
前記センター装置は、
配信する駐車場に関する情報がある場合、当該駐車場に関する情報を含むコンテンツ情報を前記車載器に送信する配信システムが提供される。
【０００７】
請求項２に記載の発明によれば、
前記駐車場に関する情報は、サービスを提供する対象地点において提携指定されている提携駐車場の情報であり、
前記車載器は、
前記センター装置から受信したコンテンツ情報に、前記提携駐車場の情報が含まれる場合、当該提携駐車場の情報に基づいて、提携駐車場の一覧を示す駐車場リストを作成し、表示する請求項１に記載の配信システムが提供される。
【０００８】
請求項３に記載の発明によれば、
前記車載器は、
前記駐車場リストに示された提携駐車場のうち、何れかの提携駐車場を目的地として選択する入力がなされると、当該入力に応じて選択された提携駐車場を目的地とする案内経路を算出して表示する請求項２に記載の配信システムが提供される。
【０００９】
請求項４に記載の発明によれば、
前記駐車場に関する情報は、センター装置において予め登録されている駐車場の情報であり、
前記車載器は、
前記センター装置から受信したコンテンツ情報に、前記センター装置において予め登録されている駐車場の情報が含まれる場合、当該駐車場の情報に基づいて目的地周辺の駐車場を検索し、検索された駐車場の一覧を示す駐車場リストを作成し、表示する請求項１に記載の配信システムが提供される。
【００１０】
請求項５に記載の発明によれば、
前記センター装置は、
予め登録されている駐車場についての満空情報を、前記配信するコンテンツ情報に含めて前記車載器に送信する請求項１〜４の何れか一項に記載の配信システムが提供される。
【００１１】
請求項６に記載の発明によれば、
前記車載器は、
前記センター装置から受信したコンテンツ情報に、前記満空情報が含まれている場合、当該満空情報に基づき、各駐車場について満空情報を示す前記駐車場リストを作成し、表示する請求項５に記載の配信システムが提供される。
【００１２】
請求項７に記載の発明によれば、
前記車載器は、
車載器が搭載されている車両に関する車両情報及び予め車載器において登録されている駐車場の車両制限の情報を記憶し、前記記憶している車両情報及び車両制限の情報に基づいて前記駐車場リストに示す駐車場を選択する請求項２〜６の何れか一項に記載の配信システムが提供される。
【００１３】
請求項８に記載の発明によれば、
前記センター装置は、
予め登録されている駐車場の車両制限の情報を含むコンテンツ情報を前記車載器に送信し、
前記車載器は、
車載器が搭載されている車両に関する車両情報を記憶し、前記センター装置から受信したコンテンツ情報に、駐車場の車両制限の情報が含まれている場合、当該車両制限の情報及び前記記憶している車両情報に基づいて前記駐車場リストに示す駐車場を選択する請求項２〜６の何れか一項に記載の配信システムが提供される。
【００１４】
請求項９に記載の発明によれば、
前記車載器は、
ＤＳＲＣ通信により、前記センター装置からコンテンツ情報を受信し、
ＩＰ通信により、前記センター装置において予め登録されている駐車場の満空情報を、前記センター装置から取得する請求項５〜８の何れか一項に記載の配信システムが提供される。
【００１５】
請求項１０に記載の発明によれば、
表示手段と、
路側無線装置を介して、コンテンツ情報を配信するセンター装置とＤＳＲＣ通信を行うＤＳＲＣ通信手段と、
前記センター装置から受信したコンテンツ情報に、サービスを提供する対象地点において提携指定されている提携駐車場の情報が含まれる場合、当該提携駐車場の情報に基づいて、提携駐車場の一覧を示す駐車場リストを作成し、前記表示手段に表示する制御手段と、
を備える車載器が提供される。
【００１６】
請求項１１に記載の発明によれば、
入力手段を備え、
前記制御手段は、前記駐車場リストに示された提携駐車場のうち、何れかの提携駐車場を目的地として選択する入力がなされると、当該入力に応じて選択された提携駐車場を目的地とする案内経路を算出して表示する請求項１０に記載の配信システムが提供される。
【００１７】
請求項１２に記載の発明によれば、
表示手段と、
路側無線装置を介して、コンテンツ情報を配信するセンター装置とＤＳＲＣ通信を行うＤＳＲＣ通信手段と、
前記センター装置から受信したコンテンツ情報に、前記センター装置において予め登録されている駐車場の情報が含まれる場合、当該駐車場の情報に基づいて目的地周辺の駐車場を検索し、検索された駐車場の一覧を示す駐車場リストを作成し、前記表示手段に表示する制御手段と、
を備える車載器が提供される。
【００１８】
請求項１３に記載の発明によれば、
前記制御手段は、前記センター装置から受信したコンテンツ情報に、センター装置において予め登録されている駐車場についての満空情報が含まれている場合、当該満空情報に基づき、各駐車場について満空情報を示す駐車場リストを作成し、表示する請求項１０〜１２の何れか一項に記載の車載器が提供される。
【００１９】
請求項１４に記載の発明によれば、
車載器が搭載されている車両に関する車両情報及び予め車載器において登録されている駐車場の車両制限の情報を記憶する記憶手段を備え、
前記制御手段は、前記記憶されている車両情報及び車両制限の情報に基づいて、前記駐車場リストに示す駐車場を選択する請求項１０〜１３の何れか一項に記載の車載器が提供される。
【００２０】
請求項１５に記載の発明によれば、
車載器が搭載されている車両に関する車両情報を記憶する記憶手段を備え、
前記制御手段は、前記センター装置から受信したコンテンツ情報に、駐車場の車両制限の情報が含まれている場合、当該車両制限の情報及び前記記憶している車両情報に基づいて前記駐車場リストに示す駐車場を選択する請求項１０〜１３の何れか一項に記載の配信システムが提供される。
【００２１】
請求項１６に記載の発明によれば、
前記センター装置とＩＰ通信を行うＩＰ通信手段を備え、
前記制御手段は、前記センター装置において予め登録されている駐車場の満空情報を、前記ＩＰ通信手段を介して前記センター装置から取得する請求項１０〜１５の何れか一項に記載の車載器が提供される。
【発明の効果】
【００２２】
本発明によれば、車載器において駐車場に関する情報を参照することにより、駐車場の提携の有無や周辺の駐車場を容易に判断することができる。よって、コンテンツ情報の提供にあたり、駐車場の情報提供を正確かつ迅速に行うことができる。
【発明を実施するための最良の形態】
【００２３】
〈第１実施形態〉
第１実施形態では、駐車場に関する情報として、提携駐車場の情報を提供する場合について説明する。
【００２４】
まず、構成を説明する。
図１に、本実施形態における配信システム１００を示す。
配信システム１００は、図１に示すように、車両Ｃに搭載された車載器１０、路側無線装置２０Ａ、２０Ｂ、センター装置３０を含んで構成されている。路側無線装置２０Ａ、２０ＢはネットワークＮ１を介してセンター装置３０と接続され、車載器１０とはＤＳＲＣ通信が可能である。配信システム１００では、センター装置３０が路側無線装置２０Ａ、２０Ｂを介して車載器１０にコンテンツ情報を配信する。なお、コンテンツ情報については後述する。
【００２５】
配信システム１００では、センター装置３０と車載器１０との間でＩＰ（Internet Protocol）通信による相互通信も可能となっている。ＤＳＲＣ通信では、路側無線装置２０Ａ、２０Ｂとの通信エリア内において車載器１０がセンター装置３０からコンテンツ情報の配信を受けるのみであるが、ＩＰ通信によればＤＳＲＣの通信エリア外においても、車載器１０からセンター装置３０に対して情報提供を要求することが可能となる。
【００２６】
ＩＰ通信の方法としては、ＤＳＲＣ通信だけでなくＩＰ通信にも対応可能な路側無線装置２０Ｂを設け、この路側無線装置２０Ｂを介してセンター装置３０と車載器１０とがＩＰ通信を行う方法がある。また、図１に示すように車載器１０から、各地に設けられている無線通信アクセスポイント２０Ｃに接続し、この無線通信アクセスポイント２０ＣからネットワークＮ２、Ｎ３を介してセンター装置３０とＩＰ通信を行う方法もある。
【００２７】
ＩＰ通信の方式としては、携帯電話等の無線通信デバイスを用いるＰＤＣ（Personal Digital Cellular）、ＣＤＭＡ（Code Division Multiple Access）、ＰＨＳ（Personal Handyphone System）の他、IEEE802.11a/b/g/h等の無線ＬＡＮ（Local Area Network）、IEEE802.16a/e/hのＷｉＭＡＸ（Worldwide Interoperability for Microwave Access）等、何れの方式を用いてもよい。無線通信アクセスポイント２０Ｃは適用する通信方式に応じてネットワークＮ２、Ｎ３に接続できる携帯電話の基地局や、ホストサーバ、アンテナを備えた無線ＬＡＮルータ等であり、ネットワークＮ２、Ｎ３は専用ネットワークやインターネットである。
【００２８】
以下、各構成装置について説明する。
路側無線装置２０Ａ、２０Ｂは、図２に示すように本体装置２１とアンテナ２２とから構成されている。路側無線装置２０Ａ、２０Ｂは、道路脇や道路上方に設置されたアンテナ２２から、到達距離が限定されたＤＳＲＣの電波を放射して、路側無線装置２０Ａ、２０Ｂ近傍に相互通信エリアＺを形成する。この相互通信エリアＺ内にある車両Ｃの車載器１０とだけ双方向狭域無線通信が可能となる。
【００２９】
ＤＳＲＣは５．８GHz帯域の電波を使った通信方式であり、その通信範囲は例えば数メートルから数十メートルである。路側無線装置２０Ａ、２０ＢからのＤＳＲＣの送信出力は何れも同じ程度に設定されているので、複数の路側無線装置２０Ａ、２０Ｂがそれぞれ形成する相互通信エリアＺは設置場所に関係なく、ほぼ一定である。
【００３０】
本体装置２１は、車載器１０とセンター装置３０間の情報のやりとりを仲介するための処理を行う。すなわち、アンテナ２２を介して車載器１０から受信された情報をセンター装置３０に転送し、センター装置３０から送信されたコンテンツ情報を車載器１０に転送する。本体装置２１は、情報処理や通信制御を行う制御部、記憶部等を備えたコンピュータを適用することができる。なお、路側無線装置２０Ｂは、上述のようにＤＳＲＣ通信だけでなく、ＩＰ通信も可能である。
【００３１】
車載器１０は、車両Ｃに搭載され、案内経路への誘導のための処理等を行うナビゲーション機能の他、ＤＳＲＣによるＥＴＣ（Electric Toll Collection System）利用のための処理を行う機能等を有している。
車載器１０は、図３に示すように、カーナビ部１、ＶＩＣＳ（Vehicle Information and Communication System）モジュール２、ＤＳＲＣ部３、制御部４、ＩＰ通信部５を備えて構成されている。
【００３２】
制御部４は、ＣＰＵ（Central Processing Unit）、ＲＡＭ（Random Access Memory）等から構成され、記憶部１ｆに記憶された制御プログラムとの協働により各種演算を行う他、各部の集中制御を行う。
例えば、ＤＳＲＣ部３のＤＳＲＣ通信動作やＩＰ通信部５のＩＰ通信動作を制御する。なお、ＤＳＲＣ部３の制御にあたってはＤＳＲＣ部３のＤＳＲＣ制御部３ａとの協働により制御を行う。その他、センター装置３０から受信したコンテンツ情報やＶＩＣＳモジュール２を介して受信した交通情報等の保存、再生制御等を行う。
【００３３】
カーナビ部１は、カーナビ制御部１ａ、現在地検出部１ｂ、地図記憶部１ｃ、入力部１ｄ、表示部１ｅ、記憶部１ｆを備えて、車両Ｃを案内経路へ誘導する等のナビゲーションに係る処理を行う。
カーナビ制御部１ａは、現在地検出部１ｂから取得した現在地の情報及び地図記憶部１ｃに記憶された地図ＤＢ（データベース）等に基づいて、車両Ｃの現在地から入力部１ｄを介して設定された目的地までの案内経路を算出する。そして、地図記憶部１ｃに記憶されている地図ＤＢを用いて算出した案内経路を含む地図画面を作成し、表示部１ｅにより表示させる。
【００３４】
現在地検出部１ｂは、ＧＰＳアンテナ、角度センサ、方位センサ、距離センサ等の各種センサを備え、これらセンサによる検出結果に基づいて車両Ｃの現在地を検出する。ＧＰＳアンテナは、ＧＰＳ衛星から送信されるＧＰＳ信号を検出する。また、角度センサは移動方向の変化量を示す車両Ｃの加速度（単位時間あたりの水平方向への回転速度）を検出し、方位センサは地磁気の検出を行って車両Ｃの絶対方位を検出する。現在地検出部１ｂは、これらセンサから取得した各検出結果に基づいて車両Ｃの現在地を示す現在地の情報（緯度、経度等）を生成し、カーナビ制御部１ａに出力する。
【００３５】
地図記憶部１ｃは、メモリやＤＶＤ等の記録媒体から構成され、案内表示に必要な地図ＤＢ、駐車場ＤＢ、ＶＩＣＳモジュール２を介して受信されるガイド情報（道路情報、渋滞情報等）等を記憶している。地図ＤＢは、表示用の地図画像、経路探索用の情報、施設や公園等の地点の情報等を含んでいる。地点の情報は、例えば地点の名称、緯度経度、住所、電話番号等である。
【００３６】
駐車場ＤＢは、予め登録された駐車場に関する情報を含んでおり、例えば図４に示すようなフォーマットから構成されている。図４に示すように、駐車場ＤＢは、各駐車場に個々に割り振られたＩＤ（以下、駐車場ＩＤという）、駐車場名称、駐車場の位置する緯度経度、住所、駐車場の営業所等の電話番号、駐車場での車両制限（車幅や車高、重量等の制限）、駐車場の営業時間、料金、特典等を含んでいる。
【００３７】
入力部１ｄは、操作キーや表示部１ｅのモニタと一体に構成されるタッチパネル等から構成されている。入力部１ｄは、これらの操作に対応する操作信号を生成し、カーナビ制御部１ａに出力する。
表示部１ｅはモニタを備え、制御部４やカーナビ制御部１ａの表示制御に従って各種情報を表示する。例えば、設定画面や地図画面、センター装置３０から受信したコンテンツ情報の表示画面等である。
【００３８】
記憶部１ｆはメモリから構成され、制御部４やカーナビ制御部１ａにより実行される制御プログラム、プログラムの実行に必要なパラメータやデータ等を記憶している。
また、記憶部１ｆは車両情報を記憶している。車両情報は車両Ｃに関する情報であり、例えば車両Ｃの車幅、車高、重量、排気量等である。
また、記憶部１ｆはセンター装置３０から受信したコンテンツ情報を記憶する。
【００３９】
ＶＩＣＳモジュール２は、光通信用、ＦＭ通信用、２．４GHz電波通信用のアンテナをそれぞれ備え、ＶＩＣＳセンターと光通信、ＦＭ通信、電波通信を行う。ＶＩＣＳモジュール２はＶＩＣＳセンターから渋滞情報や道路交通情報等を受信し、制御部４に出力する。
【００４０】
ＤＳＲＣ部３は、ＤＳＲＣによるＥＴＣ利用のための処理や、センター装置３０からコンテンツ情報を受信するための通信処理等を行う。
ＤＳＲＣ部３は、図３に示すようにＤＳＲＣ制御部３ａ、ＤＳＲＣ通信部３ｂ、記憶部３ｃ、ＥＴＣ処理部３ｅ、ＩＣカードＩ／Ｆ３ｆを備えて構成されている。
【００４１】
ＤＳＲＣ制御部３ａは、ＣＰＵ、ＲＡＭ等から構成され、記憶部３ｃに記憶されている制御プログラムとの協働によりＤＳＲＣ部３の各部の動作を制御する。
例えば、ＥＴＣによる決済を行う際には、ＤＳＲＣ通信部３ｂの通信動作を制御してＥＴＣ基地局（ＥＴＣ決済を行うためにＥＴＣゲート付近等に設けられる無線基地局）と決済情報の送受信を行わせる。また、ＥＴＣ処理部３ｅにより決済情報の書込処理を行わせる。
また、センター装置３０からコンテンツ情報を受信する際には、制御部４の指示に従って記憶部３ｃのアップリンク情報記憶領域Ｍに記憶されている情報を、ＤＳＲＣ通信部３ｂにより路側無線装置２０Ａ、２０Ｂに送信させる一方、ＤＳＲＣ通信部３ｂにより路側無線装置２０Ａ、２０Ｂを介してコンテンツ情報を受信した場合にはこれを制御部４に出力する。
【００４２】
ＤＳＲＣ通信部３ｂは、車両Ｃのダッシュボート上でフロントガラス近傍に固設されたアンテナを備え、このアンテナを介して路側無線装置２０Ａ、２０ＢやＥＴＣ基地局等と、ＤＳＲＣの電波の送受信を行う。
【００４３】
記憶部３ｃは、ＤＳＲＣ制御部３ａにより実行される制御プログラム等を記憶している。
また、記憶部３ｃにはアップリンク情報記憶領域Ｍが設けられている。アップリンク情報記憶領域Ｍは、センター装置３０に情報を提供するために専用に設けられた記憶領域であり、アップリンク情報の他、車載器１０の特性情報が記憶される。
【００４４】
特性情報とは、車載器１０の機器特性に関する情報をいう。特性情報には、車載器１０に個々に割り振られたＩＤ（以下、車載器ＩＤという）、車載器１０が対応できる言語、地図の測地系、著作権管理技術、表示部１ｅのモニタの解像度、ＳＶＧ（Scalable Vector Graphics）の対応性、コンテンツ情報を蓄積可能な記憶容量等の情報が含まれる。
【００４５】
アップリンク情報とは、センター装置３０において配信するコンテンツ情報を選択するために用いる情報である。アップリンク情報には、ユーザがコンテンツ情報の配信について契約をしたサービス事業者の特定情報、車両Ｃの目的地情報、経由地情報、累計走行距離情報、過去の立ち寄り地情報、ユーザの嗜好情報、受信再生履歴情報等が含まれる。アップリンク情報は、制御部４によってサービス事業者に応じた内容でサービス事業者毎に生成され、最新の内容となるように制御部４が常に更新を行っている。
【００４６】
サービス事業者の特定情報は、ユーザが予めコンテンツ情報の配信について契約したサービス事業者を特定する情報であり、例えば事業者コード、事業者名等である。
車両Ｃの目的地情報は、カーナビ部１で設定された目的地の緯度、経度の情報であり、経由地情報はカーナビ部１で設定された目的地までの誘導経路において経由する地点の緯度、経度の情報である。また、累計走行距離情報はＤＳＲＣ部３のセットアップ（起動）時点から現在までの車両Ｃの累計走行距離の情報であり、過去の立ち寄り地情報は過去に車両Ｃが停車した（つまり車載器１０の電源がＯＮ又はＯＦＦされた）地点の緯度、経度の情報及び時刻情報である。
【００４７】
嗜好情報は、センター装置３０においてユーザの嗜好に応じたコンテンツ情報を選択するのに用いる情報である。嗜好情報は、コンテンツ情報を分類する複数のカテゴリ毎にユーザが好むか好まないかを示す情報を含む。このカテゴリは、「暮らし」、「買い物」等のようにコンテンツ情報の分類を示すものであり、サービス事業者が任意に設定できるものである。
【００４８】
受信再生履歴情報は、センター装置３０から配信されたコンテンツ情報に付与されている情報コード及びその再生の履歴の情報である。履歴の情報は、受信したコンテンツ情報のうち、実際に表示部１ｅに表示される等して再生されたコンテンツ情報の情報コードがあり、再生時の緯度経度情報や時刻情報等が含まれることもある。
【００４９】
ＥＴＣ処理部３ｅは、ＩＣカードＩ／Ｆ３ｆに挿抜されるＩＣ付きクレジットカード又はデビットカード等に対して決済情報等の読み書きを行う。
ＩＣカードＩ／Ｆ３ｆは、上記クレジットカード等のスロットを備え、このスロットに挿入されたクレジットカード等のＩＣとＥＴＣ処理部３ｅとの間で情報のやりとりを仲介する。
【００５０】
ＩＰ通信部５は、携帯電話やＰＨＳ、ＬＡＮカード等の無線通信デバイス４０を接続可能に構成され、当該無線通信デバイス４０、無線アクセスポイント２０Ｃを介してセンター装置３０とＩＰ通信を行う。
【００５１】
次に、センター装置３０について説明する。
センター装置３０は、コンテンツ情報を記憶し、これを車載器１０に配信する。なお、図１では１台のセンター装置３０のみ示したが、センター装置３０はコンテンツ情報を配信するサービス事業者毎に備えられるものである。
図５に、センター装置３０の機能的構成を示す。
図５に示すように、センター装置３０は制御部３１、入力部３２、表示部３３、記憶部３４、通信部３５を備えて構成されている。
【００５２】
制御部３１は、ＣＰＵ、ＲＡＭ等から構成され、記憶部３４に記憶された制御プログラムとの協働により各種演算を行う他、各部を集中制御する。
例えば、制御部３１は記憶部３４に保存されているコンテンツ情報を読み出し、車載器１０に配信する制御を行う。
【００５３】
入力部３２はキーボード等を備えて操作入力を受け付け、当該操作入力に応じた操作信号を制御部３１に出力する。
表示部３３はディスプレイを備え、制御部３１の表示制御に従ってディスプレイ上に各種画面を表示する。
【００５４】
記憶部３４は、制御部３１により実行されるプログラムの他、プログラムの実行に必要な各種データを記憶する。
ユーザはコンテンツ情報の配信サービスに加入する契約を行う際、会員登録を行うので、記憶部３４はこの会員登録されたユーザの氏名、住所等の特定情報を記憶する他、ユーザが所有する車載器１０の車載器ＩＤ、ユーザの嗜好情報等の情報をユーザ毎にデータベース化して記憶する。
【００５５】
また、記憶部３４は配信すべきコンテンツ情報を記憶している。
コンテンツ情報とは、店舗の広告や駐車場、医療施設の案内等のコンテンツ（テキスト情報、画像情報、音情報）だけでなく、コンテンツを提供するサービス事業者の情報等の他の配信すべき情報を含めたひとまとまりの情報をいう。
図６に、一例としてコンテンツ情報のフォーマットを示す。
図６に示すように、コンテンツ情報には、個々にＩＤが付された情報、例えば構成ＩＤ、事業者、コンテンツ詳細、有効期限、時間提供、対象地点、情報提供地点、遷移情報、駐車場情報、運転支援情報、嗜好情報等が含まれている。
【００５６】
ＩＤ＝００の構成ＩＤの情報は、コンテンツ情報内に含まれる情報のＩＤの一覧を表す情報である。ＩＤ＝００の構成ＩＤを参照することによりコンテンツ情報内にどの情報が含まれているかを判断することができる。
ＩＤ＝０１の事業者の情報は、サービス事業者を特定するための情報であり、例えば事業者コード等である。
ＩＤ＝０２のコンテンツ詳細はコンテンツ情報に関する詳細な情報であり、例えばサービス事業者がコンテンツ情報に対し個別に割り付けた情報コード、コンテンツ情報が属する嗜好情報のカテゴリ、再生を即時に行うか蓄積するかを示す即時／蓄積コード等である。
【００５７】
ＩＤ＝０４の有効期限はコンテンツの再生についての有効期限を示す情報であり、有効期限の開始時期及び終了時期を示す日時で表される。
ＩＤ＝０５の時間提供は後述する対象地点においてサービスを提供できる営業時間等の情報である。
【００５８】
対象地点とはサービスの提供を行う店舗や施設等をいい、ＩＤ＝１０の対象地点の情報としては、例えば対象地点の位置を示す対象地点座標（緯度経度）、対象地点名称等を示す対象地点表示用テキスト、対象地点の説明等に係るコンテンツであるテキスト、画像、音声、対象地点の情報をＩＰ通信により提供する際のＵＲＬ、対象地点を地図上に表示する際に使用されるアイコン画像、提携駐車場情報等からなる。
【００５９】
ここで、提携駐車場情報とは、対象地点において提携指定されている駐車場に関する情報であり、例えば提携指定されている駐車場を示す駐車場ＩＤの情報である。
【００６０】
ＩＤ＝２０の情報提供地点の情報はコンテンツを再生させたい情報提供エリアに関する情報である。蓄積されたコンテンツについては、情報提供エリア内にある道路である方向から車両Ｃが進入した際にコンテンツがあることを通知するポップアップ通知を行い、そこで再生の指示がなされるとコンテンツの再生を行う。ＩＤ＝２０の情報提供地点は、このときのポップアップ通知やコンテンツ再生等を行う際の条件を指定する情報である。例えば、情報提供エリアの中心座標（緯度経度）、半径、車両Ｃの進入方向を示す方向コード、道路種別、ポップアップ通知用の表示画像、音声等からなる。
【００６１】
ＩＤ＝３０の遷移情報は、ＩＤ＝２０の対象地点のコンテンツに画像が含まれるコンテンツ情報が複数あり、各コンテンツ情報の画像を遷移させて表示する場合に用いる情報である。遷移情報は、例えば次の遷移先の情報コードを示す次再生情報コード等からなる。
【００６２】
ＩＤ＝５０の駐車場情報は、センター装置３０において予め登録されている駐車場に関する情報である。駐車場情報は、例えばセンター装置において予め登録されている駐車場の駐車場ＩＤ、満空情報の他、車両制限、予約可否、料金、特記事項等である。満空情報とは満車、空車の状況を示す情報をいう。また、特記事項には「雨よけ」等の情報を含ませることができるので、この特記事項の情報を参照することにより雨に濡れない駐車場等、ユーザの要望に応じた駐車場を選択することが可能となる。
【００６３】
ＩＤ＝６０の運転支援情報は、駐車場の出入口付近や駐車場内の合流分岐、速度案内等、敷地内の運転に関して運転の補助となる情報である。運転支援情報は、例えば運転支援のための画像、音声案内を行うのに用いられる表音文字列、圧縮音声、音声の再生順の情報等である。
【００６４】
ＩＤ＝８０の嗜好情報は、上述したように配信するコンテンツ情報の選択に用いる情報である。嗜好情報は、例えば嗜好情報のバージョン、そのバージョンで定められているカテゴリの名称を示す表示用テキスト、表音文字列、カテゴリの詳細情報等からなる。
【００６５】
コンテンツ情報は上記各ＩＤの情報を含めて予め作成されたものを記憶部３４に保存しておき、配信時に、これらコンテンツ情報のうち配信するコンテンツ情報を制御部３１が選択する。なお、各ＩＤの情報は必要に応じてコンテンツ情報に含められ、常に全てのＩＤの情報がコンテンツ情報に含まれているわけではない。例えば、対象地点において提携指定されている提携駐車場が無ければ、ＩＤ＝１０の対象地点に提携駐車場情報は含まれないことになる。
【００６６】
また、記憶部３４は、センター装置３０において予め登録されている各駐車場について満空情報を記憶している。具体的には各駐車場ＩＤに対応付けて満空情報、更新日時等の情報を記憶している。満空情報はできるだけ現状に近い情報を提供できるように、満空情報は一定時間毎に制御部３１により更新するものとする。
【００６７】
通信部３５は、路側無線装置２０Ａ、２０ＢとＤＳＲＣ通信を行うための通信用インターフェイスや、路側無線装置２０Ｂ、無線通信アクセスポイント２０ＣとＩＰ通信を行うための通信用インターフェイスを備え、制御部３１の通信制御に従って各通信方式による通信処理を実行する。
【００６８】
次に、動作について説明する。
図７を参照して、コンテンツ情報を配信する際におけるセンター装置３０、路側無線装置２０Ａ、２０Ｂ、車載器１０の処理の流れを説明する。
図７に示すように、まず車両Ｃのエンジンが起動し、車載器１０の電源が投入されると（ステップＳ１）、制御部４は車載器１０の特性情報を生成し、記憶部３ｃのアップリンク情報記憶領域Ｍに書き込む（ステップＳ２）。特性情報は、制御部４が表示部１ｅ等の各部に問い合わせて、或いは予め記憶部１ｆに記憶されている情報を読み出す等して取得し、アップリンク情報記憶領域Ｍの対応する領域に書き込む。なお、実際には書込を指示する制御情報をＤＳＲＣ制御部３ａに出力し、このＤＳＲＣ制御部３ａがアップリンク情報記憶領域Ｍに書き込む。
【００６９】
その後、車両Ｃが走行を開始、路側無線装置２０Ａ又は２０Ｂの相互通信エリアＺに進入すると（エリアイン）、路側無線装置２０Ａ又は２０Ｂは車両Ｃを検出し、車載器１０のＤＳＲＣ制御部３ａがアップリンク情報記憶部３とＤＳＲＣ通信による接続処理を開始する（ステップＳ３ａ、Ｓ３ｂ）。すなわち、ＤＳＲＣの電波を送出し、車載器１０からの応答が得られると、通信路を確立する。通信路を確立すると、路側無線装置２０Ａ又は２０Ｂはセンター装置３０に対し接続が完了した旨の通知情報を送信する（ステップＳ４ａ）。一方、車載器１０のＤＳＲＣ部３は制御部４に対し接続が完了した旨の通知情報を出力する（ステップＳ４ｂ）。
【００７０】
次いで、路側無線装置２０Ａ又は２０Ｂが車載器１０のＤＳＲＣ部３に対し、アップリンク情報記憶領域Ｍ内の情報の送信要求を行うと、ＤＳＲＣ部３はアップリンク情報記憶領域Ｍに書き込まれている特性情報を路側無線装置２０Ａ又は２０Ｂに送信する（ステップＳ５）。特性情報は路側無線装置２０Ａ又は２０Ｂを介してセンター装置３０に送信される。
次いで、制御部４はアップリンク情報を生成し、アップリンク情報記憶領域Ｍに書き込む（ステップＳ６）。
【００７１】
センター装置３０は、車載器１０に対し定期的にポーリングを行って（ステップＳ７）、アップリンク情報記憶領域Ｍに書き込まれたアップリンク情報を要求する。
車載器１０のＤＳＲＣ部３は、センター装置３０からのポーリングに応じてアップリンク情報記憶領域Ｍに記憶されているアップリンク情報を、路側無線装置２０Ａ又は２０Ｂを介してセンター装置３０に送信する（ステップＳ８）。
【００７２】
センター装置３０は、記憶部３４に記憶されているコンテンツ情報のうち、受信した特性情報及びアップリンク情報に応じたコンテンツ情報を読み出し、車載器１０に送信する（ステップＳ９）。例えば、特性情報で対応できる言語が「日本語」であり、嗜好情報のカテゴリが「洋画」や「アニメ」等であれば、日本語対応であって、嗜好情報のカテゴリが「洋画」や「アニメ」であるコンテンツ情報を選択し、車載器１０に配信する。
車載器１０では受信したコンテンツ情報を制御部４が記憶部１ｆに保存する（ステップＳ１０）。
【００７３】
その後、センター装置３０が配信すべきコンテンツ情報を全て配信すると、配信終了を通知するメッセージ情報を制御部３１が生成して車載器１０に送信する（ステップＳ１１）。この配信終了のメッセージ情報はユーザに対しエリアアウトを促すためのものであり、車載器１０はこのメッセージ情報を表示する。その後、一定時間路側無線装置２０Ａ又は２０Ｂとの通信が途絶えると、車載器１０の制御部４は配信を終了したと判断してアップリンク情報を削除する制御を行う（ステップＳ１２）。この制御に応じて、ＤＳＲＣ制御部３ａはアップリンク情報記憶領域Ｍ内のアップリンク情報を削除する。
【００７４】
次に、図８〜図１１を参照して、車載器１０においてコンテンツ情報の再生を行う際の処理の流れを説明する。なお、以下の処理はカーナビ制御部１ａが制御するが、制御部４が制御することとしてもよい。
図８に示すように、まずカーナビ制御部１ａは受信したコンテンツ情報からＩＤ＝１０の対象地点の情報を参照し、コンテンツ（画像、テキスト、音声）を抽出する（ステップＳ２１）。
さらに、カーナビ制御部１ａはコンテンツ情報のＩＤ＝１０の対象地点の情報を参照し、対象地点座標の情報が含まれているか否かを判断する（ステップＳ２２）。含まれていない場合は（ステップＳ２２；Ｎ）、本処理を終了する。含まれている場合（ステップＳ２２；Ｙ）、コンテンツ情報から対象地点座標の情報を抽出する（ステップＳ２３）。
【００７５】
次いで、カーナビ制御部１ａはコンテンツ情報のＩＤ＝１０の対象地点の情報を参照し、提携駐車場の情報が含まれているか否かを判断する（ステップＳ２４）。含まれていない場合（ステップＳ２４；Ｎ）、ステップＳ２６の処理に移行する。含まれている場合（ステップＳ２４；Ｙ）、コンテンツ情報から提携駐車場の情報を抽出する（ステップＳ２５）。
【００７６】
次いで、カーナビ制御部１ａはコンテンツ情報におけるＩＤ＝５０の駐車場情報の有無を判断する（ステップＳ２６）。駐車場情報が無い場合（ステップＳ２６；Ｎ）、ステップＳ２８の処理へ移行する。駐車場情報が有る場合（ステップＳ２６；Ｙ）、コンテンツ情報から駐車場情報を抽出する（ステップＳ２７）。
【００７７】
カーナビ制御部１ａは、抽出したコンテンツである画像や文字を表示するコンテンツ画面を作成し、表示部１ｅに表示させる。また、コンテンツである音声がある場合は音声を出力し、コンテンツ情報の再生を行う。このとき、カーナビ制御部１ａはカーナビ部１において目的地の設定を行う目的地ボタンを生成し、前記コンテンツ画面上に表示させる（ステップＳ２８）。
【００７８】
図１２Ａに、コンテンツ画面の一例を示す。
図１２Ａに示すように、コンテンツ画面ｄ１ではコンテンツ情報から抽出した画像及び文字ｄ１１を表示させている。この画像及び文字ｄ１１は対象地点である店舗「○□△ＳＣ」を案内に係るものである。また、コンテンツ画面ｄ１では目的地ボタンｋ１を表示させる。このとき、「目的地ボタンを押すと、カーナビに目的地として設定されます」等の音声案内を行ってもよい。
【００７９】
図９を参照して、コンテンツ画面において目的地ボタンが押下された場合の処理を説明する。
図９に示すように、カーナビ制御部１ａはコンテンツ情報から抽出した対象地点座標の情報を元に、地図記憶部１ｃに記憶されている地図ＤＢから対象地点の詳細情報を取得する（ステップＳ３１）。対象地点の詳細情報とは、例えば対象地点の住所や電話番号等の情報である。つまり、カーナビ制御部１ａは、対象地点の詳細情報として、地図ＤＢから対象地点座標が一致する地点の住所、電話番号等の情報を取得する。
【００８０】
次いで、カーナビ制御部１ａは、地図記憶部１ｃに記憶されている地図ＤＢを用いて、対象地点座標を中心とした地図画面を作成し、表示部１ｅに表示させる（ステップＳ３２）。さらに、カーナビ制御部１ａはこの地図画面上に対象地点の詳細情報を表示させる（ステップＳ３３）。
【００８１】
上記地図画面においては、対象地点において提携指定されている提携駐車場が有る場合には、その情報提供を行う。そのため、カーナビ制御部１ａは、コンテンツ情報から抽出した提携駐車場の情報に、１件以上の駐車場ＩＤが有るか否かを判断する（ステップＳ３４）。駐車場ＩＤが１件でも有る場合には（ステップＳ３４；Ｙ）、ユーザが提携駐車場の情報表示を指示するための提携駐車場ボタンを上記地図画面上に表示させ、有効化する（ステップＳ３５）。
一方、駐車場ＩＤが１件も無い場合（ステップＳ３４；Ｎ）、提携駐車場ボタンを地図画面上に表示させるが、当該提携駐車場ボタンを無効化する（ステップＳ３６）。
【００８２】
なお、この場合は地図記憶部１ｃが記憶している駐車場ＤＢに基づいて、カーナビ制御部１ａが対象地点から一定範囲内の周辺に存在する駐車場を検索し、そのような駐車場が有れば提携駐車場ボタンの代わりに周辺駐車場の情報表示を指示するための周辺駐車場ボタンを表示してもよい。或いは、提携駐車場ボタン及び周辺駐車場ボタンの何れも表示し、提携駐車場ボタンは無効化、周辺駐車場ボタンは有効化しておくこととしてもよい。これにより、コンテンツ情報に提携駐車場の情報が含まれていない場合でも、ユーザが利用できる駐車場の情報提供を行うことができる。
【００８３】
図１２Ｂに、上記地図画面の一例を示す。
図１２Ｂに示すように、地図画面ｄ２は右半分に対象地点「○□△ＳＣ」の対象地点座標を中心とする地図ｄ２１が表示され、左半分に対象地点の住所、電話番号の詳細情報ｄ２２が表示されている。詳細情報ｄ２２の下部には、対象地点を目的地として指定するための「ここに行く」ボタンや、地図を拡大表示する「地図を表示」ボタン、提携駐車場ボタンｋ２等、様々な機能ボタンｄ２３が設けられている。ここで、提携駐車場ボタンｋ２は上述したように提携駐車場の駐車場ＩＤが１件も無い場合には、網掛け表示される、操作自体が無視される等して、無効化される。一方、提携駐車場の駐車場ＩＤが１件でも有る場合には提携駐車場ボタンの操作は有効として扱われる。
【００８４】
次に、図１０を参照して、提携駐車場ボタンが押下された場合の車載器１０の処理の流れを説明する。
図１０に示すように、カーナビ制御部１ａは、コンテンツ情報から抽出した提携駐車場情報から駐車場ＩＤを１件取得する（ステップＳ４１）。そして、地図記憶部１ｃに記憶されている駐車場ＤＢにおいて検索を行い、取得した駐車場ＩＤと一致する駐車場の有無を判断する（ステップＳ４２）。一致する駐車場が無い場合（ステップＳ４２；Ｎ）、ステップＳ４８の処理へ移行する。
【００８５】
一方、一致する駐車場が有る場合（ステップＳ４２；Ｙ）、カーナビ制御部１ａは取得した駐車場ＩＤと一致する駐車場の詳細情報を駐車場ＤＢから取得する（ステップＳ４３）。駐車場の詳細情報とは、駐車場名称、緯度経度、住所、電話番号、車両制限等の情報である。
さらに、カーナビ制御部１ａはコンテンツ情報から抽出したＩＤ＝５０の駐車場情報に、取得した駐車場ＩＤと一致する駐車場ＩＤが有るか否かを判断する（ステップＳ４４）。一致する駐車場ＩＤが有る場合（ステップＳ４４；Ｙ）、ＩＤ＝５０の駐車場情報から当該駐車場ＩＤに対応する満空情報を取得する（ステップＳ４５）。一方、一致する駐車場ＩＤが無い場合（ステップＳ４４；Ｎ）、ステップＳ４５の処理は行わずにステップＳ４６に移行する。
【００８６】
ステップＳ４６では、カーナビ制御部１ａが、取得した提携駐車場の詳細情報及び満空情報に基づいて、提携駐車場の一覧と各提携駐車場についての満空情報とを示す駐車場リストを作成し、地図画面上に表示させる（ステップＳ４６）。また、カーナビ制御部１ａは駐車場リストに示した満空情報の更新指示をするための更新ボタンを生成し、地図画面上に表示させる。さらに、カーナビ制御部１ａは駐車場の詳細情報に基づき、各提携駐車場の位置（緯度経度）を判断し、当該位置を示す駐車場アイコンを地図画面上に表示させる（ステップＳ４７）。
【００８７】
次に、カーナビ制御部１ａはコンテンツ情報から抽出した提携駐車場の情報に、次の駐車場ＩＤが有るか否かを判断する（ステップＳ４８）。次の駐車場ＩＤが無い場合（ステップＳ４８；Ｎ）、本処理を終了するが、次の駐車場ＩＤが有れば（ステップＳ４８；Ｙ）、ステップＳ４１の処理に戻り、次の駐車場ＩＤについて上記処理を繰り返す。このようにして、提携駐車場情報に含まれる駐車場ＩＤ全てについて駐車場の詳細情報及び満空情報の有無を判断し、提携駐車場のリストを作成する。
【００８８】
図１２Ｃに、駐車場リストを含む地図画面の例を示す。
図１２Ｃに示すように、地図画面ｄ３では提携駐車場の名称を並べた一覧と各提携駐車場の満空情報を示す駐車場リストｄ３１を表示させている。また、駐車場リストｄ３１の下部には提携駐車場を目的地として指定するためのここに行くボタンｋ３と、更新ボタンｋ４とを表示させている。一方、地図上では駐車場リストに示された提携駐車場の位置を示す駐車場アイコンｄ３２が表示されている。
【００８９】
なお、全ての提携駐車場についてリスト化するのではなく、車両Ｃの車両情報に基づいて駐車場リストに示す提携駐車場を選択することとしてもよい。
例えば、カーナビ制御部１ａが記憶部１ｆに記憶されている車両情報を読み出しておく。ステップＳ４３で取得した提携駐車場の詳細情報には、車載器１０が記憶している駐車場ＤＢから取得した車両制限の情報が含まれるので、車両情報とこの提携駐車場の車両制限の情報とを照合する。車両Ｃの車高や車幅が提携駐車場で制限されている車高や車幅を超えるようであれば、その提携駐車場は駐車場リストから削除し、車両制限を満たす提携駐車場のみを選択してリスト化する。これにより、車両Ｃが利用できる提携駐車場の情報のみ提供することができる。
【００９０】
或いは、コンテンツ情報にＩＤ＝５０の駐車場情報が含まれている場合、当該駐車場情報には、センター装置３０で登録されている駐車場の車両制限の情報が含まれているので、この車両制限の情報と車載器１０が記憶している車両Ｃの車両情報とに基づいて、車両制限を満たすかどうかを判断し、駐車場リストに示す提携駐車場を選択することとしてもよい。また、ＩＤ＝５０の駐車場情報の特記事項を参照してユーザの要望に応じた提携駐車場を選択することとしてもよい。
【００９１】
次に、図１１を参照して、ここに行くボタン又は更新ボタンが操作された際に、車載器１０で実行される処理について説明する。
図１１に示すように、更新ボタンが操作された場合（ステップＳ５１；更新）、カーナビ制御部１ａは駐車場リストに示した提携駐車場についての満空情報を、センター装置３０から取得する処理を行う（ステップＳ５２）。
【００９２】
すなわち、満空情報を要求する要求情報を生成し、駐車場リストに示した提携駐車場の駐車場ＩＤとともに、ＩＰ通信部５を介してセンター装置３０に送信する。センター装置３０では、制御部３１が要求情報とともに受信した駐車場ＩＤに対応する最新の満空情報を記憶部３４から読み出して車載器１０に送信するので、車載器１０は最新の満空情報を取得することができる。カーナビ制御部１ａは、取得した満空情報に基づいて、地図画面に表示している駐車場リストの満空情報を更新する（ステップＳ５３）。
【００９３】
一方、更新ボタンではなく、駐車場リストの中から何れかの提携駐車場が選択されたうえで、ここに行くボタンが操作された場合（ステップＳ５１；ここに行く）、ステップＳ５２、Ｓ５３の処理は行わずに、ステップＳ５４の処理に移行する。
【００９４】
ステップＳ５４では、カーナビ制御部１ａは駐車場ＤＢから取得していた提携駐車場の詳細情報に基づいて、選択された提携駐車場の駐車場名称、住所、電話番号を地図画面上に表示させる（ステップＳ５４）。このとき、提携駐車場の詳細情報に料金情報や特典情報、営業情報等が有る場合には、それらの情報に基づいて例えば「営業時間は午後１１時迄です。５０００円以上のお買い物で２時間迄無料になります。」等の音声案内を行うこととしてもよい。
【００９５】
次いで、カーナビ制御部１ａは選択された駐車場の位置を中心として地図を表示させる（ステップＳ５５）。
図１２Ｄに、その際の地図画面の例を示す。
図１２Ｄに示すように、地図画面ｄ４では選択された提携駐車場の住所等の詳細情報ｄ４１を表示させている。また、選択された提携駐車場の位置（駐車場アイコンｄ４２で示す位置）を中心とする地図ｄ４３を表示させている。提携駐車場の詳細情報ｄ４１の下部には、ここに行くボタンｋ５を表示させる。
【００９６】
上記地図画面においてここに行くボタンが操作入力されると（ステップＳ５６；Ｙ）、カーナビ制御部１ａは案内経路の目的地として選択された提携駐車場を設定する。そして、カーナビ制御部１ａは、現在地から目的地までの案内経路の算出を行って、当該案内経路まで誘導を行う地図画面を作成し、表示させる（ステップＳ５７）。例えば、図１２Ｄに示す地図画面において案内経路に係る道路や地点を矢印で指し示す等して表示する。
【００９７】
以上のように、本実施形態によれば、センター装置３０は配信するコンテンツ情報にＩＤ＝１０の対象地点の情報が含まれている場合であって、対象地点に提携駐車場がある場合は、提携駐車場情報を含むコンテンツ情報を車載器１０に送信するので、車載器１０では駐車場の提携の有無を判断することができるとともに、その提携駐車場を容易に特定して駐車場ＤＢから詳細情報を取得することが可能となる。よって、対象地点のコンテンツ再生に合わせて提携駐車場の情報提供を正確かつ迅速に行うことができる。
【００９８】
また、センター装置３０は、予め登録されている駐車場についての満空情報を含むコンテンツ情報を車載器１０に送信するので、車載器１０では提携駐車場を含めた各駐車場についての満空情報を容易に取得することができ、満空情報の提供を迅速に行うことができる。
【００９９】
一方、車載器１０は、センター装置３０から受信した提携駐車場情報、満空情報に基づいて、提携駐車場の一覧とそれらの満空情報を示す駐車場リストを作成、表示することができ、ユーザに対し提携駐車場の情報を正確かつ迅速に提供することができる。
【０１００】
また、目的地ボタンを設け、この目的地ボタンの操作により駐車場リストから選択された提携駐車場を目的地とする指示入力がなされると、当該選択された提携駐車場を目的地とする案内経路を算出し、表示する。これにより、ユーザは目的地設定のために提携駐車場の住所等を入力する必要がなくなり、スムーズに目的地設定を行うことができる。複数のコンテンツ情報を受信し、行きたい対象地点が複数ある場合にこのような目的地設定を可能とする構成は、特に有効である。
【０１０１】
また、車載器１０はセンター装置３０とＩＰ通信が可能であるため、ＤＳＲＣ通信の相互通信エリアＺを出た後においても、ＩＰ通信により各駐車場の満空情報を取得することができる。満空情報のような変動する情報については最新情報が求められるため、相互通信エリアＺ外においてもリアルタイムの満空情報を取得できる構成とすることにより、正確な情報提供が可能となる。
【０１０２】
なお、上記第１実施形態において、対象地点から所定の範囲内に車両Ｃが達したら、駐車場リストを表示しますか等の案内画面を表示する等して、ユーザに駐車場リストの表示を促すこととしてもよい。図１３を参照して説明すると、ＩＰ通信により最新の満空情報を取得後（ステップＳ６１）、カーナビ制御部１ａが車両Ｃが走行中かどうかを判断し（ステップＳ６２）、走行中であれば（ステップＳ６２；Ｙ）、駐車場リストの表示指示を行うためのリスト表示ボタンを含む画面を表示する。リスト表示ボタンが操作されると（ステップＳ６３；Ｙ）、図１０に示した処理を行って提携駐車場の駐車場リストを表示する（ステップＳ６４）。
【０１０３】
〈第２実施形態〉
第２実施形態では、駐車場に関する情報として、センター装置において予め登録されている駐車場の情報を提供する場合を説明する。
【０１０４】
第２実施形態に係る配信システム、車載器の構成は第１実施形態と同一であり、その動作が異なるのみである。よって、同一の構成部には同一の符号を付し、異なる動作部分のみ説明する。
【０１０５】
センター装置３０から車載器１０に対し、コンテンツ情報を配信する際の処理は、第１実施形態で説明した処理（図７参照）と同じである。つまり、センター装置３０は、配信する駐車場に関する情報として、センター装置３０で予め登録されている駐車場の駐車場ＩＤを設定した駐車場情報（ＩＤ＝５０）を含むコンテンツ情報を車載器１０に送信する。
【０１０６】
図１４を参照して、コンテンツ情報を受信した車載器１０の処理を説明する。
図１４に示すように、まずカーナビ制御部１ａは受信したコンテンツ情報にＩＤ＝５０の駐車場情報が含まれている場合（ステップＳ７１；Ｙ）、当該コンテンツ情報からＩＤ＝５０の駐車場情報を抽出する（ステップＳ７２）。含まれていない場合には（ステップＳ７１；Ｎ）、本処理を終了する。
【０１０７】
カーナビ制御部１ａは、地図記憶部１ｃに記憶されている駐車場ＤＢを参照し、ＩＤ＝５０の駐車場情報に含まれる駐車場ＩＤと一致する駐車場ＩＤが、駐車場ＤＢに有るかどうかを判断する（ステップＳ７３）。無い場合（ステップＳ７３；Ｎ）、本処理を終了する。一致する駐車場ＩＤが有る場合（ステップＳ７３；Ｙ）、駐車場ＤＢ及びＩＤ＝５０の駐車場情報から一致する駐車場ＩＤに対応する詳細情報を取得する（ステップＳ７４）。詳細情報としては、例えば駐車場ＤＢから駐車場名称、緯度経度、住所、電話番号、車両制限等の情報を取得し、ＩＤ＝５０の駐車場情報からは特記事項や車両制限等の情報を取得する。
【０１０８】
次いで、カーナビ制御部１ａは案内経路の目的地として設定されている目的地の有無を判断する（ステップＳ７５）。目的地が設定されていない場合（ステップＳ７５；Ｎ）、本処理を終了する。目的地が設定されている場合（ステップＳ７５；Ｙ）、カーナビ制御部１ａは取得した駐車場の詳細情報に基づいて、ＩＤ＝５０の駐車場情報の駐車場ＩＤで示される駐車場のうち、目的地周辺に存在する駐車場を選択する（ステップＳ７６）。例えば、取得した詳細情報のうち駐車場の緯度経度を参照し、目的地の緯度経度から半径１ｋｍ等、所定範囲内にある駐車場を選択する。
【０１０９】
次いで、カーナビ制御部１ａは選択した駐車場の満空情報をＩＤ＝５０の駐車場情報から取得する（ステップＳ７７）。次いで、カーナビ制御部１ａは選択した駐車場について取得されている駐車場の詳細情報及び満空情報に基づいて、選択した駐車場の一覧とその満空情報を示す駐車場リストを作成し、表示部１ｅに表示させる（ステップＳ７８）。なお、車載器１０で記憶している車両情報と、駐車場ＤＢから取得した駐車場の車両制限の情報又はＩＤ＝５０の駐車場情報から取得した車両制限の情報とに基づいて駐車場リストに示す駐車場を選択してもよい点や、ＩＤ＝５０の駐車場情報から取得した特記事項に基づいてユーザの要望に応じた駐車場を選択してもよい点は、第１実施形態と同様である。
【０１１０】
また、カーナビ制御部１ａは駐車場の詳細情報に基づき、選択した駐車場の位置（緯度経度）を判断し、当該位置を示す駐車場アイコンを配置した地図を表示部１ｅに表示させる（ステップＳ７９）。例えば、駐車場リストや地図は図１２Ｃに示した表示例と同様に表示することができる。駐車場リストｄ３１は、駐車場の名称を並べた一覧とその駐車場についての満空情報とからなる。また、目的地「○□△ＳＣ」の周辺に駐車場アイコンｄ３２が表示される。
【０１１１】
ここで、第１実施形態と同様に更新ボタンｋ４を表示し、更新ボタンｋ４の操作に応じてセンター装置３０からＩＰ通信により最新の満空情報を取得する構成としてもよい。また、駐車場リストにおいて何れかの駐車場が選択されると、その駐車場の住所、電話番号等の詳細情報を表示することとしてもよい。
【０１１２】
以上のように、第２実施形態によれば、センター装置３０は配信するＩＤ＝５０の駐車場情報があれば、当該駐車場情報を含むコンテンツ情報を車載器１０に送信するので、車載器１０では当該駐車場情報に含まれる駐車場ＩＤに基づいて目的地周辺の駐車場を容易に判断することができ、駐車場ＤＢから詳細情報を取得することが可能となる。よって、目的地周辺の駐車場の情報提供を正確かつ迅速に行うことができる。
【０１１３】
また、センター装置３０は、予め登録されている駐車場についての満空情報を含むコンテンツ情報を車載器１０に送信するので、車載器１０では目的地周辺の駐車場を含めた各駐車場について満空情報を容易に取得することができ、満空情報の提供を迅速に行うことができる。
【０１１４】
一方、車載器１０はセンター装置３０から受信した駐車場情報、満空情報に基づいて、目的地周辺の駐車場の一覧とそれらの満空情報を示す駐車場リストを作成、表示することができ、ユーザに対し目的地周辺の駐車場の情報を正確かつ迅速に提供することができる。
【０１１５】
なお、上記第１実施形態又は第２実施形態は本発明の好適な一例であり、これに限定されない。
例えば、車載器１０において、コンテンツ情報の受信時には制御部４が制御を担い、コンテンツ情報の再生時にはカーナビ制御部１ａが制御を担う例を示したが、制御を担うのは制御部４、カーナビ制御部１ａ、ＤＳＲＣ制御部３ａ等の何れの制御手段であってもよい。
【図面の簡単な説明】
【０１１６】
【図１】本実施形態における配信システムを示す図である。
【図２】図１の路側無線装置の相互通信エリアを説明する図である。
【図３】図１の車載器の機能的構成を示す図である。
【図４】車載器が記憶している駐車場ＤＢの一例を示す図である。
【図５】図１のセンター装置の機能的構成を示す図である。
【図６】配信システムにおいてコンテンツ情報を配信する際の処理の流れを説明する図である。
【図７】車載器において受信したコンテンツ情報を再生する際の処理の流れを説明する図である。
【図８】車載器において受信したコンテンツ情報を再生する際の処理の流れを説明する図である。
【図９】車載器において受信したコンテンツ情報を再生する際の処理の流れを説明する図である。
【図１０】車載器において受信したコンテンツ情報を再生する際の処理の流れを説明する図である。
【図１１】車載器において受信したコンテンツ情報を再生する際の処理の流れを説明する図である。
【図１２Ａ】コンテンツ画面の一例である。
【図１２Ｂ】対象地点の詳細情報を含む地図画面の一例である。
【図１２Ｃ】駐車場リストを含む地図画面の一例である。
【図１２Ｄ】提携駐車場の詳細情報を含む地図画面の一例である。
【図１３】満空情報を取得後の処理の流れを示すフローチャートである。
【図１４】第２実施形態に係る車載器において受信したコンテンツ情報を再生する際の処理の流れを説明する図である。
【符号の説明】
【０１１７】
１００  配信システム
１０  車載器
１  カーナビ部
１ａ  カーナビ制御部
１ｃ  地図記憶部
１ｄ  入力部
１ｅ  表示部
１ｆ  記憶部
３  ＤＳＲＣ部
３ｂ  ＤＳＲＣ通信部
３ｃ  記憶部
Ｍ  アップリンク情報記憶領域
４  制御部
５  ＩＰ通信部
２０Ａ、２０Ｂ  路側無線装置
２０Ｃ  無線アクセスポイント
３０  センター装置
３１  制御部
３４  記憶部
【図１】
2009174864.tif 000003
【図２】
2009174864.tif 000004
【図３】
2009174864.tif 000005
【図４】
2009174864.tif 000006
【図５】
2009174864.tif 000007
【図６】
2009174864.tif 000008
【図７】
2009174864.tif 000009
【図８】
2009174864.tif 000010
【図９】
2009174864.tif 000011
【図１０】
2009174864.tif 000012
【図１１】
2009174864.tif 000013
【図１２Ａ】
2009174864.tif 000014
【図１２Ｂ】
2009174864.tif 000015
【図１２Ｃ】
2009174864.tif 000016
【図１２Ｄ】
2009174864.tif 000017
【図１３】
2009174864.tif 000018
【図１４】
2009174864.tif 000019